(57)【要約】      （修正有）【課題】作業者が施工時操作において便利となるクランプ構造を提供する。【解決手段】底板１と、底板の短手方向両側から延出された一対の挟持片２とを備え、該一対の挟持片の底板に対向する他端に顎部２１を形成させ、底板の中央に長手方向に沿って両側が閉鎖した開口部１１を開設し、且つ、該開口部短手方向の幅が顎部より広く、該開口部を介して作業者がクランプ構造内部にある導電リボン（Ｒｉｂｂｏｎ）及び導電端子の一端を引き出すと共にクランプ構造の表面から突出させ、直接導電リボン及び導電端子を接着施工することができる。【選択図】図１
0003168507.tif 000002
【実用新案登録請求の範囲】
【請求項１】
クランプ構造であって、
底板１と、前記底板１の短手方向両側から延出された一対の挟持片２とを備え、
前記一対の挟持片２の前記底板１に対向する他端に顎部２１が形成され、
前記底板１の中央に長手方向に沿って両側が閉鎖した開口部１１を開設し、
且つ、該開口部１１短手方向の幅が顎部２１より広いことを特徴とするクランプ構造。
【考案の詳細な説明】
【技術分野】
【０００１】
本考案はクランプ構造に関し、特に、導電リボン及び導電端子を挟持するためのクランプ構造に関する。
【背景技術】
【０００２】
現代のエネルギー資源が徐々に不足していることに伴い、新エネルギーの開発は国際間において共同で注目されている課題である。太陽電池の開発もこれにより人々から益々重視されてきている。太陽電池にはエコ、省エネ及び応用範囲が広いこと等の様々な長所があり、現在代替できる新エネルギーにおいて開発技術が比較的成熟しているもので、如何にして太陽電池の構造を改良するかはメーカたちの更なる共通の努力目標である。接続箱は、太陽電池ユニット中の１つの重要な素子である。接続箱の働きは太陽電池から生じた電力を集めて出力することである。接続箱がないと、ソーラーモジュールが正常に電力を出力することができないため、従ってその発電機能を運転できない。
【０００３】
接続箱内の導電端子はソーラーパネルからの導電リボンと接続しなければらない。太陽電池は長期間屋外に置かれているため、これら導電リボンが外力の影響を受け容易に緩みや脱落により、太陽電池の正常な電力出力に影響を与える。従来技術においてクランプ構造を利用して導電リボンと接続箱内の導電端子を固定してから、接着工具（例えば溶接ガン）及び粘着剤（例えばポッティング剤或いはフラックス）で導電リボンと接続箱内の導電端子とを結合させることで、導電リボンと接続箱の導電端子との連結の安定性を強化し、また送電機能の正常動作を確保している。
【０００４】
しかしながら従来のクランプ構造において、クランプ構造の内部が接続する導電リボンの露出スペースが不足するため、作業者が施工する時直接クランプ構造内部の導電端子と導電リボンとの連結箇所をはっきり見ることができないと共に施工できず、同時に接着工具の作動部（例えば溶接ガンの溶接ヘッド）もクランプ構造内部に入り込んで接着（例えば溶接或いは接着剤分注）作業を行うことができず、導電リボンと接続箱内の導電端子との接着が不完全となり、更に導電リボンが容易に緩み、脱落して正常な送電機能に影響を与えてきた。このため、如何にして導電リボンと導電端子との固定作業を効率的に完成させ、作業者の施工時において、より一層便利で且つ完全に接着工程を完成させることができるか、如何にして更に接着工具の操作に便利性を与えるクランプ構造を開発するかが非常に重要な課題であった。
【０００５】
上記した従来技術の問題点に鑑み、如何にして上記従来のクランプ構造が存在する欠点について開発および改良し、利用者の使用の利便性を向上し、且つ製作コストを最小限に抑えることができるかは、実際の関係業界が開発を努力しなければならない目標となっている。
【考案の概要】
【考案が解決しようとする課題】
【０００６】
上記した従来技術の問題点を解決するため、本考案はクランプ構造を提供し、該クランプ構造には、底板と、底板の短手方向両側から延出された一対の挟持片とを備え、該一対の挟持片の底板に対向する他端に顎部を形成させる。底板の中央に長手方向に沿って両側が閉鎖した開口部を開設し、且つ該開口部短手方向の幅が顎部より広くなっている。
【０００７】
これにより、本考案の主な目的は、底板と、底板の短手方向両側から延出された一対の挟持片とを備え、該一対の挟持片の底板に対向する他端に顎部を形成させ、底板の中央に長手方向に沿って両側が閉鎖した開口部を開設し、且つ該開口部短手方向の幅が顎部より広く、該開口部を介して作業者がクランプ構造内部の導電端子にある導電リボン（Ｒｉｂｂｏｎ）の一端を引き出すと共にクランプ構造の表面から突出させ、また直接導電リボン及び導電端子を接着施工することで、作業者に施工時における操作の便利となるクランプ構造を提供することである。
【０００８】
本考案の別の目的は、底板と、底板の短手方向両側から延出された一対の挟持片とを備え、該一対の挟持片の底板に対向する他端に顎部を形成させ、底板の中央に長手方向に沿って両側が閉鎖した開口部を開設し、且つ該開口部短手方向の幅が顎部より広く、該開口部を介して、導電リボンをクランプ構造内部から突き出させることができるため、導電リボンの露出スペースを拡大し、作業者に接着工具で接着作業を容易に行わせることができ、導電リボンと導電端子との接着範囲を更に完全にさせ、両者の連結の安定性をより一層向上させることができるクランプ構造を提供することである。
【０００９】
本考案の別の目的は、底板と、底板の短手方向両側から延出された一対の挟持片とを備え、該一対の挟持片の底板に対向する他端に顎部を形成させ、底板の中央に長手方向に沿って両側が閉鎖した開口部を開設し、且つ該開口部短手方向の幅が顎部より広く、該開口部を介して、導電リボンをクランプ構造内部から突き出させることができるため、導電リボンの露出スペースを拡大し、作業者が接着作業を行う時クランプ構造にある導電端子と導電リボンをはっきり見えるため、接着作業時の便利性をアップし、導電リボンと接続箱の導電端子との連結の安定性を強化することで、更に太陽電池の電力出力が正常に作動できるよう確保するクランプ構造を提供することである。
【００１０】
本考案の別の目的は、底板と、底板の短手方向両側から延出された一対の挟持片とを備え、該一対の挟持片の底板に対向する他端に顎部を形成させ、少なくとも１個の挟持片の挟持部に嵌合孔が開設され、該嵌合孔を介してクランプ構造を対応する導電端子の突起部に固定でき、定位効果を持たせ、またクランプ構造と導電端子を組み立て所定位置に固定させ、更にクランプ構造と導電端子にある導電リボンの間が緩み・脱落・移動しないよう確保することで、両者間の安定性を向上できるクランプ構造を提供することである。
【００１１】
更に、本考案の別の目的は、底板の中央に長手方向に沿って両側が閉鎖した開口部を開設し、且つ該開口部短手方向の幅が顎部より広く、該開口部を介して導電リボンの露出スペースを拡大し、作業者が接着工具を操作する時、明確で且つ入念に接着作業を行わせることができることで、導電リボンと導電端子との連結の安定性を強化し、太陽電池のメンテナンスを減らし、また太陽電池の使用寿命を延ばし、従って全体的なコストを削減し、且つ生産能力をアップする効果を奏すクランプ構造を提供することである。
【課題を解決するための手段】
【００１２】
上記目的を達成するため、本考案のクランプ構造には、底板と、底板の短手方向両側から延出された一対の挟持片とを備え、該一対の挟持片の底板に対向する他端に顎部を形成させ、底板の中央に長手方向に沿って両側が閉鎖した開口部を開設し、且つ該開口部短手方向の幅が顎部より広く、該開口部を介して作業者がクランプ構造内部にある導電リボン（Ｒｉｂｂｏｎ）及び導電端子の一端を引き出すと共にクランプ構造の表面から突出させ、また直接導電リボン及び導電端子を接着施工することで、作業者が施工時操作において便利となることができる。
【考案の効果】
【００１３】
このため、本考案が提供するクランプ構造は、その構造が簡単で且つ素子が単純で、また導電リボンと接続箱内の導電端子を挟持固定でき、並びに緩みにくい効果を奏することができることに対し、従来のクランプ構造では接着工程時導電リボンのクランプ構造内に露出するスペースが不足するため、作業者の施工時に直接クランプ構造の内部をはっきりと見えず、同時に接着工具の作動部（例えば、溶接ガンの溶接ヘッド）もクランプ構造の内部に入り接着（例えば溶接）作業を行うことができず、更に導電リボンと接続箱内の導電端子との接着が不完全となるため、導電リボンが容易に緩み、脱落することが発生し、施工の取り付けで比較的時間を費やし、且つ施工者に多くの不便を与え、更に太陽電池の使用寿命に影響を与えている。
これに対し本考案では、修理・メンテナンスコスト及び施工費用を節約するだけではなく、同時に施工の組み立てにおいても比較的便利で、施工の作業者に迅速且つ便利な取り付け工程を行わせることができ、施工に必要な時間を大幅に減らし、全体的なコストを削減し且つ生産能力を向上する効果を奏することができる。
【図面の簡単な説明】
【００１４】
【図１】本考案に基づく第１の好ましい実施例で、クランプ構造の立体図である。
【図２】本考案に基づく第１の好ましい実施例で、クランプ構造と導電端子の組立分解図である。
【図３】本考案に基づく第１の好ましい実施例で、クランプ構造と導電端子の組立図である。
【図４】本考案に基づく第１の好ましい実施例で、クランプ構造の側面図である。
【図５】本考案に基づく第２の好ましい実施例で、クランプ構造と導電端子の組立側面図である。
【図６】本考案に基づく第２の好ましい実施例で、クランプ構造の展開上面図である。
【考案を実施するための形態】
【００１５】
本考案は、クランプ構造を開示し、この中で利用されているクランプ固定方法については、すでに当業者が理解できるため、以下の説明において詳細な記述を行わない。且つ下記の参照図面は、本考案の特徴と関係する構造概念を表明し、実際の寸法で完全に作図する必要がないため、この点について、先ず説明しておく。
【００１６】
本考案に基づく第１の好ましい実施例として、クランプ構造１００の図１を参照にしながら説明する。該クランプ構造１００には底板１と、底板１の短手方向両側から延出された一対の挟持片２とを具える。該一対の挟持片２の底板１に対向する他端に顎部２１を形成し、挟持固定する必要がある導電端子２５及び導電リボン２６（図２）は該顎部２１からクランプ構造１００に入る。底板１の中央に長手方向に沿って両側が閉鎖した開口部１１を開設し、且つ該開口部１１短手方向の幅が顎部２１より広くなっている。
【００１７】
次に図２及び図３を参考にしながら説明する。導電リボン２６は導電端子２５の挟持端２５１に嵌設して被覆し、同時に開口部１１が底板１を貫通する。このため、導電端子２５と導電リボン２６をクランプ構造１００に接着する時、作業者は導電端子２５とその上の導電リボン２６をクランプ構造１００内部から引き出すと共に開口部１１を通して導電リボン２６が開口部１１から突き出させる状態を呈することができる。この場合、作業者は容易にクランプ構造１００から突き出した導電リボン２６とその内部にある導電端子２５との接着作業を完成させることができる。同時に作業者は操作時導電端子２５と導電リボン２６の結合部箇所が更にはっきり見えるため、両者間の接着作業がより一層便利となり、従って施工工程の効率をアップする。本実施例内で使用した接着工具は溶接ガンであり、粘着剤がフラックスである。ただしポッティング剤又はその他の代用接着剤を採用できるため、これに限らず、その他の同じ固定目的を達成する工具とすることもできる。
【００１８】
次に図４を参照にしながら説明する。該クランプ構造１００は底板１の中央に長手方向に沿って更に凹み部１２が形成され、開口部１１を凹み部１２内に開設する。該凹み部１２の設計構造によりクランプ１００の弾性がより一層優れ、挟持・加力がより一層安定することで、施工時の便利性と安全性を確保できる。
【００１９】
同時に各挟持片２は顎部２１の箇所に端部２２を備え、該一対の挟持片２の端部２２が外に張り出して夾角θを形成し、該夾角θが生じたＶ字形開口構造を介して挟持固定の必要がある導電端子２５及び導電リボン２６は顎部２１は顎部２１を経由してクランプ構造１００に入り込む際入口空間が拡大し、導電端子２５及び導電リボン２６をクランプ構造１００に引き込むことが更に便利になる。同時に各挟持片２には端部２２に隣接する挟持部２３を更に含む。該挟持部２３は扁平状になり、挟持部２３が容易に挟持・加力させ、クランプ構造１００に入り込んだ導電端子２５及び導電リボン２６を確実で安定的に挟持部２３内に挟持させ、導電端子２５及び導電リボン２６をクランプ構造１００内に固定する場合、緩み或いは脱落しにくい効果を強化する。
【００２０】
引き続き本考案に基づいて提出する第１の好ましい実施例の図４を参照にしながら説明する。該クランプ構造１００の少なくとも１個の挟持片２の挟持部２３に１個或いは一対の嵌合孔２４が開設され、該嵌合孔２４は挟持される導電端子２５上の凸起部と対応（図５）し、クランプ構造１００と導電端子２５の相対位置の固定に用い、両者間の取り付ける際間違った位置に移動することを防止し、同時に更に取り付けた後のクランプ構造１００と導電端子２５は緩み或いは脱落しにくいことを確保し、両者の連結の安定性を強化する。
【００２１】
次に、クランプ構造１００の展開上面図の図６を参照にしながら説明する。嵌合孔２４の構造及び数量は制限を受けない。任意の同じ固定目的を達成する方法により、製品の施工及び取り付けの要求に基づいてその構造を変更できる。
【００２２】
以上の記述は、本考案の好ましい実施例のみであり、本考案の登録請求の権利が限定されるものではない。同時に当業者が以上の記述を理解及びび実施できる。このため、本考案の精神を逸脱しない範囲内において種々の改良変更をなし得ることは、実用新案登録請求の範囲内に含めるものであるのが勿論である。
【符号の説明】
【００２３】
１・・・・・・底板
２・・・・・・挟持片
１１・・・・・開口部
１２・・・・・凹み部
２１・・・・・顎部
２２・・・・・端部
２３・・・・・挟持部
２４・・・・・嵌合孔
２５・・・・・導電端子
２６・・・・・導電リボン
１００・・・・クランプ構造
２５１・・・・挟持端
θ・・・・・・夾角
【図１】
0003168507.tif 000003
【図２】
0003168507.tif 000004
【図３】
0003168507.tif 000005
【図４】
0003168507.tif 000006
【図５】
0003168507.tif 000007
【図６】
0003168507.tif 000008